(57)【要約】      （修正有）【課題】人体に直接電極を装着することなく就寝者の体動状況を判断する体動センサを提供する。【解決手段】寝具上の人体を検知する人体検知手段と、前記人体検知手段で検知した就寝者の体動を検知する体動検知手段と、前記体動検知手段から得られる体動信号を解析して体動状況を解析する体動解析手段と、前記体動解析結果が体動異常か否かを判断する体動異状解析手段と、前記体動解析手段で体動異状と判断したとき第三者に知らせる通報手段からなる寝具使用者の体動状況判断を行うことを特徴とする体動検知器。【選択図】図１
0003121782.tif 000002
【実用新案登録請求の範囲】
【請求項１】
寝具上の人体を検知する人体検知手段と、前記人体検知手段で検知した就寝者の体動を検知する体動検知手段と、前記体動検知手段から得られる体動信号を解析して体動状況を解析する体動解析手段と、前記体動解析結果が体動異常か否かを判断する体動異状解析手段と、前記体動解析手段で体動異状と判断したとき第三者に知らせる通報手段からなる寝具使用者の体動状況判断を行うことを特徴とする体動検知器。
【請求項２】
請求項１の人体検知手段に圧力センサを用いたことを特徴とする体動検知器。
【請求項３】
請求項１の人体検知手段にマットスイッチ、静電容量センサ、磁気センサ、加速度センサ、エア−マット圧力センサの組合せセンサ、カメラ、人工網膜、光センサ、三次元カメラセンサ、超音波センサ、感圧センサ、焦電素子その他人体を感知する手段を用いたことを特徴とする体動検知器。
【請求項４】
請求項１の体動検知手段に圧電性セラミックス例えば窒化アルミニュウム薄膜、酸化アルミ感圧コ−ティングを施したもの、その他を用いたことを特徴とする体動検知器。
【請求項５】
請求項１の体動検知手段に圧電フィルム、例えばＰＶＤＦ他を用いたことを特徴とする体動検知器。
【請求項６】
請求項１の体動検知手段に振動センサ、または歪ゲ−ジ、または加速度センサ、焦電素子、ジャイロセンサまたは感圧フィルム、または静電容量センサを用いた体動検知器。
【請求項７】
請求項１の体動検知手段にエア−マット内にマイクロンを内蔵したセンサ、またはエア−マット内に圧力センサを内蔵したセンサ、またはエア−マット内に気圧センサを内蔵したセンサを用いた体動検知器。
【請求項８】
請求項１の体動検知手段にエア−マットとチュ−ブを接続し、チュ−ブの端に気圧センサまたは圧力センサまたはマイクロンまたは歪ゲ−ジまたは圧電センサまたは加速度センサまたはジャイロその他体動が検知できるセンサを装着した体動センサを用いたことを特徴とする体動検知器。
【請求項９】
請求項１の体動検知手段に光ドップラセンサ、またはマイクロ波ドップラセンサ、またはミリ波、またはミリ波ドップラセンサを用いたことを特徴とする体動検知器。
【請求項１０】
請求項１の体動検知手段に請求項  〜請求項以外に体動が検知が可能であるセンサを用いたことを特徴とする体動検知器。
【請求項１１】
請求項１の体動状況を解析する体動解析手段で就寝者の咳を周波数解析により識別を行うことを特徴とする体動検知器。
【請求項１２】
請求項１の体動状況を解析する体動解析手段で就寝者のタン詰まりを周波数解析により識別を行うことを特徴とする体動検知器。
【請求項１３】
請求項１の体動状況を解析する体動解析手段で就寝者の苦痛を周波数解析により識別を行うことを特徴とする体動検知器。
【請求項１４】
請求項１の体動状況を解析する体動解析手段で就寝者のイビキを周波数解析により識別を行うことを特徴とする体動検知器。
【請求項１５】
請求項１の体動状況を解析する体動解析手段で就寝者の寝返りを周波数解析により識別を行うことを特徴とする体動検知器。
【請求項１６】
請求項１の体動状況を解析する体動解析手段で就寝者の咳、苦痛、イビキをレベルで識別を行うことを特徴とする体動検知器。
【請求項１７】
請求項１の体動異状解析手段で、体動解析手段から入力される各種体動記号が限定時間をオ−バ−すると体動異状解析手段から異状を知らせることを特徴とする体動検知器。
【請求項１８】
請求項１７の限定時間の設定は、ソフトまたはボリウムまたはスライドスイッチまたはディップスイッチその他の方法で行なうことを特徴とする体動検知器。
【請求項１９】
請求項１の通報手段にナ−スコ−ル無線を用いることを特徴とする体動検知器。
【請求項２０】
請求項１の通報手段に無線を用いることを特徴とする体動検知器。
【請求項２１】
請求項１の通報手段にインタ−ネットを用いることを特徴とする体動検知器。
【請求項２２】
請求項１の通報手段に電話回線を用いることを特徴とする体動検知器。
【請求項２３】
請求項１の通報手段に携帯電話、ＰＨＳ、ポケベル、ＰＤＡ、を用いることを特徴とする体動検知器。
【請求項２４】
請求項１の通報手段に音、光を用いることを特徴とする体動検知器。
【請求項２５】
請求項１の通報手段に光通信を用いることを特徴とする体動検知器。
【考案の詳細な説明】
【技術分野】
【０００１】本考案は、就寝者の体動検知に関するものである。
【背景技術】
【０００２】従来、就寝者の体動セキ、タンヅマリ、苦痛、イビキ、寝返りを察知する手段として目視で状況判断していた。
【発明が解決しようとする課題】
【０００３】そのために次のような問題点があった。
イ）病院、介護施設等では常時就寝者を見守ることができない。
ロ）巡回後に就寝者の体動に異状を知る手だてがない。
ハ）少子高齢化社会での介護師、看護師不足のため巡廻回数が減るため就寝者の体動異状を察知することが難しい。
ニ）在宅看護は老老介護が進んでいるため夫婦共倒れになるケ−スが増えている。
ホ）在宅介護者の自由が奪われている。
ヘ）看護師、介護師の肉体的、精神的負担が増加している。
【課題を解決するための手段】
【０００４】上記課題を解決するための本件の第１条件は、寝具上の人体を検知する人体検知手段と、前記人体検知手段で検知した就寝者の体動を検知する体動検知手段と、前記体動検知手段から得られる体動信号を解析して体動状況を解析する体動解析手段と、前記体動解析結果が体動異常か否かを判断する体動異状解析手段と、前記体動解析手段で体動異状と判断したとき第三者に知らせる通報手段からなる寝具使用者の体動状況判断を行うことを特徴とする体動検知器。
【０００５】また第２考案は請求項１の人体検知手段に圧力センサを用いたことを特徴とする体動検知器。
【０００６】また第３考案は請求項１の人体検知手段にマットスイッチ、静電容量センサ、磁気センサ、加速度センサ、エア−マット圧力センサの組合せセンサ、カメラ、人工網膜、光センサ、三次元カメラセンサ、超音波センサ、感圧センサ、焦電素子その他人体を感知する手段を用いたことを特徴とする体動検知器。
【０００７】また第４考案は、請求項１の体動検知手段に圧電性セラミックス例えば窒化アルミニュウム薄膜、酸化アルミ感圧コ−ティングを施したもの、その他を用いたことを特徴とする体動検知器。
【０００８】また第５考案は、請求項１の体動検知手段に圧電フィルム、例えばＰＶＤＦ他を用いたことを特徴とする体動検知器。
【０００９】また第６考案は、請求項１の体動検知手段に振動センサ、または歪ゲ−ジ、または加速度センサ、焦電素子、ジャイロセンサまたは感圧フィルム、または静電容量センサを用いた体動検知器。
【００１０】また第７考案は、請求項１の体動検知手段にエア−マット内にマイクロンを内蔵したセンサ、またはエア−マット内に圧力センサを内蔵したセンサ、またはエア−マット内に気圧センサを内蔵したセンサを用いた体動検知器。
【００１１】また第８考案は、請求項１の体動検知手段にエア−マットとチュ−ブを接続し、チュ−ブの端に気圧センサまたは圧力センサまたはマイクロンまたは歪ゲ−ジまたは圧電センサまたは加速度センサまたはジャイロその他体動が検知できるセンサを装着した体動センサを用いたことを特徴とする体動検知器。
【００１２】また第９考案は、請求項１の体動検知手段に光ドップラセンサ、またはマイクロ波ドップラセンサ、またはミリ波、またはミリ波ドップラセンサを用いたことを特徴とする体動検知器。
【００１３】また第１０考案は、請求項１の体動検知手段に請求項４〜９請求項以外に体動が検知が可能であるセンサを用いたことを特徴とする体動検知器。
【００１４】また第１１考案は、請求項１の体動状況を解析する体動解析手段で就寝者の咳を周波数解析により識別を行うことを特徴とする体動検知器。
【００１５】また第１２考案は、請求項１の体動状況を解析する体動解析手段で就寝者のタン詰まりを周波数解析により識別を行うことを特徴とする体動検知器。
【００１６】また第１３考案は、請求項１の体動状況を解析する体動解析手段で就寝者の苦痛を周波数解析により識別を行うことを特徴とする体動検知器。
【００１７】また第１４考案は、請求項１の体動状況を解析する体動解析手段で就寝者のイビキを周波数解析により識別を行うことを特徴とする体動検知器。
【００１８】また第１５考案は、請求項１の体動状況を解析する体動解析手段で就寝者の寝返りを周波数解析により識別を行うことを特徴とする体動検知器。
【００１９】また第１６考案は、請求項１の体動状況を解析する体動解析手段で就寝者の咳、苦痛、イビキをレベルで識別を行うことを特徴とする体動検知器。
【００２０】また第１７考案は、請求項１の体動異状解析手段で、体動解析手段から入力される各種体動記号が限定時間をオ−バ−すると体動異状解析手段から異状を知らせることを特徴とする体動検知器。
【００２１】また第１８考案は、請求項１７の限定時間の設定は、ソフトまたはボリウムまたはスライドスイッチまたはディップスイッチその他の方法で行なうことを特徴とする体動検知器。
【００２２】また第１９考案は、請求項１の通報手段にナ−スコ−ル無線を用いることを特徴とする体動検知器。
【００２３】また第２０考案は、請求項１の通報手段に無線を用いることを特徴とする体動検知器。
【００２４】また第２１考案は、請求項１の通報手段にインタ−ネットを用いることを特徴とする体動検知器。
【００２５】また第２２考案は、請求項１の通報手段に電話回線を用いることを特徴とする体動検知器。
【００２６】また第２３考案は、請求項１の通報手段に携帯電話、ＰＨＳ、ポケベル、ＰＤＡ、を用いることを特徴とする体動検知器。
【００２７】また第２４考案は、請求項１の通報手段に音、光を用いることを特徴とする体動検知器。
【００２８】また第２５考案は、請求項１の通報手段に光通信を用いることを特徴とする体動検知器。
【発明の効果】
【００２９】本考案により、咳が続くと自動的に第三者に知らせることが出来るので就寝者の容態変化を瞬時に把握し適切な事後対策を行う事が可能。
【００３０】本考案により、タンヅマリが続くと自動的に第三者に知らせることが出来るので就寝者の容態変化を瞬時に把握し適切な事後対策を行う事が可能。
【００３１】本考案により、苦痛が続くと自動的に第三者に知らせることが出来るので就寝者の容態変化を瞬時に把握し適切な事後対策を行う事が可能。
【００３２】本考案により、イビキが続くと自動的に第三者に知らせることが出来るので就寝者の容態変化を瞬時に把握し適切な事後対策を行う事が可能。
【００３３】本考案により、喉に物ヅマリが続くと自動的に第三者に知らせることが出来るので就寝者の容態変化を瞬時に把握し適切な事後対策を行う事が可能。
【考案を実施するための最良の形態】
【００３４】以下本考案１の実施形態について説明する。図１において就寝中の高齢者・病人の体動を察知する体動検知部１の出力は体動解析部２の入力に接続され、体動解析部２の出力は体動異状解析部３の入力に接続され、体動異状解析部３の出力は通報部４に接続される。【００３５】本考案１は、以上の構成により就寝中の人体の動きを検知することが可能な体動検知部１から体動信号が出力される前記体動検知部１からの体動信号は体動解析部２に入力される。前記体動解析部２で体動状況をフィルタ−またはＦＦＴまたはウェブレットまたはカウスまたこれ以外の周波数解析法により商用周波数その他の外部ノイズを除去し体動例えばセキ信号、タンヅマリ信号、苦痛信号、イビキ信号、寝返り信号、ノドヅマリ信号、その他の体動信号を抽出する前記体動解析部２から出されるセキ信号、タンヅマリ信号、苦痛信号、イビキ信号、寝返り信号、ノドヅマリ信号、その他の体動信号を体動異状解析部３を入力する。前記体動異状解析部３ではセキ信号、タンヅマリ信号、苦痛信号、イビキ信号、寝返り信号、ノドヅマリ信号の時間が予め設定された時間をオ−バ−し、就寝中の人体有無を検知する人体検知部５から人体検知信号がＯＮの時、体動異状解析部３から体動異状信号が出力される。前記体動異状解析部３から出力される体動異状信号が入力されると、前記通報部４は第三者にナ−スコ−ル回線、または無線またはインタ−ネットまたは電話回線または携帯電話・ＰＨＳ・ＰＤＡまたは音または光または光通信または超音波その他の通信手段により第三者に就寝者の異状を知らせる。【００３６】以下本第２考案の実施形態について説明する。図１において就寝者の有無を検知する人体検知部５の検知器として圧力センサを用いる。【００３７】以下本第３考案の実施形態３について説明する。図１において就寝者の有無を検知する人体検知部５の検知器としてマットスイッチ、静電容量センサ、磁気センサ、加速度センサ、エア−マット、圧力センサの組合せセンサ・カメラ、人工網膜、光センサ、三次元カメラセンサ、超音波センサ、感圧センサ、焦電素子その他人体を感知する手段を用いた体動検知器。【００３８】以下本第４考案の実施形態４について説明する。図１において就寝者の体の動きを探知する体動検知部１の検知として圧電性セラミックス例えば窒化アルミニュウム薄膜、酸化アルミ感圧コ−ティングを施したものその他を用いる体動検知器。【００３９】以下本第５考案の実施形態５について説明する。図１において就寝者の体の動きを探知する体動検知部１の検知として圧電フィルム例えばＰＶＤＦを用いる体動検知器。【００４０】以下本第６考案の実施形態６について説明する。図１において就寝者の体の動きを探知する体動検知部１の検知として請求項１の体動検知手段に振動センサまたは歪ゲ−ジまたは加速度センサ、焦電素子、ジャイロセンサまたは感圧フィルムまたは非接触温度センサ、静電容量センサを用いる体動検知器。【００４１】以下本第７考案の実施形態７について説明する。図１において就寝者の体の動きを探知する体動検知部１の検知としてマット内にマイクロンを内蔵したセンサ、またはエア−マット内に圧力センサを内蔵したセンサ、エア−マット内に気圧センサを内蔵したセンサを用いる体動検知器。【００４２】以下本第８考案の実施形態８について説明する。図１において就寝者の体の動きを探知する体動検知部１の検知としてエア−マットとチュ−ブを接続し、チュ−ブの端に気圧センサまたは圧力センサまたはマイクロンまたは歪ゲ−ジまたは圧力センサまたは加速度センサまたはジャイロを用いる。【００４３】また人体検知部５の出力は人体を察知し、体動センサが作動する仕組みであれば体動異状解析部３以外の回路に入力することができる。【００４４】また人体検知部５はベッドから起き上がったことを知らせる起床センサしても使用できる。【００４５】以下本第９考案の実施形態９について説明する。図１において就寝者の体の動きを探知する体動検知部１の検知として光ドップラセンサまたはマイクロ波ドップラセンサまたはミリ波またはミリ波ドップラセンサを用いる。【００４６】以下本第１０考案の実施形態１０について説明する。図１において就寝者の体の動きを探知する体動検知部１は本第４考案〜第９考案以外で体動検知が可能であるセンサを用いた体動センサ。【００４７】以下本第１１考案の実施形態１１について説明する。図１において就寝者の体動状況をフィルタまたはＦＦＴまたはウェブレッドまたはカウスまたはこれ以外の周波数解析法により商用周波数その他の外部ノイズを除去して咳の信号成分を体動解析部２で抽出する。【００４８】以下本第１２考案の実施形態１２について説明する。図１において就寝者の体動状況をフィルタまたはＦＦＴまたはウェブレッドまたはカウスまたはこれ以外の周波数解析法により商用周波数その他の外部ノイズを除去してタン詰り、餅その他ノド詰りの信号成分を体動解析部２で抽出する。【００４９】以下本第１３考案の実施形態１３について説明する。図１において就寝者の体動状況をフィルタまたはＦＦＴまたはウェブレッドまたはカウスまたはこれ以外の周波数解析法により商用周波数その他の外部ノイズを除去して苦痛の信号成分を体動解析部２で抽出する。【００５０】以下本第１４考案の実施形態１４について説明する。図１において就寝者の体動状況をフィルタまたはＦＦＴまたはウェブレッドまたはカウスまたはこれ以外の周波数解析法により商用周波数その他の外部ノイズを除去してイビキの信号成分を体動解析部２で抽出する。【００５１】以下本第１５考案の実施形態１５について説明する。図１において就寝者の体動状況をフィルタまたはＦＦＴまたはウェブレッドまたはカウスまたはこれ以外の周波数解析法により商用周波数その他の外部ノイズを除去して寝返りの信号成分を体動解析部２で抽出する。【００５２】以下本第１６考案の実施形態１６について説明する。図１において就寝者の商用周波数その他の外部ノイズを除去して信号成分を体動解析部２で抽出する。【００５３】以下本第１７考案の実施形態１７について説明する。図１において就寝者の体動状況を判断する体動解析部２では、就寝者のセキ、ノドヅマリ、苦痛、イビキ、寝返り、ノドヅマリ状態で商用周波数その他の外部ノイズを除いた体動信号レベルで識別する。【００５４】以下本第１８考案の実施形態１９について説明する。図１において体動異状解析部３の限定時間設定方法はソフトまたはボリュウムまたはスライドスイッチまたはディップスイッチその他の方法で行う。【００５５】以下本第１９考案の実施形態２２について説明する。図１において就寝者の体動異状発生時に体動異状信号が体動異状解析部３から通報部４に入力されるとナ−ス回線を用いて就寝者の体動異状をナ−ス回線を用いて第三者に知らせる。【００５６】以下本第２０考案の実施形態２３について説明する。図１において就寝者の体動異状発生時に体動異状信号が体動異状解析部３から通報部４に入力されると、無線を用いて就寝者の体動異状を無線を用いて第三者に知らせる。【００５７】以下本第２１考案の実施形態２４について説明する。図１において就寝者の体動異状発生時に体動異状信号が体動異状解析部３から通報部４に入力されると、インタ−ネットを用いて就寝者の体動異状を無線を用いて第三者に知らせる。【００５８】以下本第２２考案の実施形態２５について説明する。図１において就寝者の体動異状発生時に体動異状信号が体動異状解析部３から通報部４に入力されると、電話回線を用いて就寝者の体動異状を電話回路を用いて第三者に知らせる。【００５９】以下本第２３考案の実施形態２６について説明する。図１において就寝者の体動異状発生時に体動異状信号が体動異状解析部３から通報部４に入力されると、携帯電話、ＰＨＳ、ＰＤＡ、ポケベル回線を用いて就寝者の体動異状を携帯電話、ＰＨＳ、ＰＤＡを用いて第三者に知らせる。【００６０】以下本第２４考案の実施形態２７について説明する。図１において就寝者の体動異状発生時に体動異状信号が体動異状解析部３から通報部４に入力されると、音、光回線を用いて就寝者の体動異状を光、音を用いて第三者に知らせる。【００６１】以下本第２５考案の実施形態２８について説明する。図１において就寝者の体動異状発生時に体動異状信号が体動異状解析部３から通報部４に入力されると、光通信を用いて就寝者の体動異状を光通信を用いて第三者に知らせる。
【図面の簡単な説明】
【図１】本第１考案のブロックダイアグラム
【符号の説明】
１．体動検知器
２．体動解析部
３．体動異状解析部
４．通報部
５．人体検知部
【図１】
0003121782.tif 000003
【手続補正書】
【提出日】平成18年2月7日(2006.2.7)
【手続補正１】
【補正対象書類名】実用新案登録請求の範囲
【補正対象項目名】全文
【補正方法】変更
【補正の内容】
【実用新案登録請求の範囲】
【請求項１】
寝具上の人体を検知する人体検知手段と、前記人体検知手段で検知した就寝者の体動を検知する体動検知手段と、前記体動検知手段から得られる体動信号を解析して体動状況を解析する体動解析手段と、前記体動解析結果が体動異常か否かを判断する体動異状解析手段と、前記体動解析手段で体動異状と判断したとき第三者に知らせる通報手段からなる寝具使用者の体動状況判断を行うことを特徴とする体動検知器。
【請求項２】
請求項１の人体検知手段に圧力センサを用いたことを特徴とする体動検知器。
【請求項３】
請求項１の人体検知手段にマットスイッチ、静電容量センサ、磁気センサ、加速度センサ、エアーマット圧力センサの組合せセンサ、カメラ、人工網膜、光センサ、三次元カメラセンサ、超音波センサ、感圧センサ、焦電素子その他人体を感知する手段を用いたことを特徴とする体動検知器。
【請求項４】
請求項１の体動検知手段に圧電性セラミックス例えば窒化アルミニュウム薄膜、酸化アルミ感圧コーティングを施したもの、その他を用いたことを特徴とする体動検知器。
【請求項５】
請求項１の体動検知手段に圧電フィルム、例えばＰＶＤＦ他を用いたことを特徴とする体動検知器。
【請求項６】
請求項１の体動検知手段に振動センサ、または歪ゲージ、または加速度センサ、焦電素子、ジャイロセンサまたは感圧フィルム、または静電容量センサを用いた体動検知器。
【請求項７】
請求項１の体動検知手段にエアーマット内にマイクロンを内蔵したセンサ、またはエアーマット内に圧力センサを内蔵したセンサ、またはエアーマット内に気圧センサを内蔵したセンサを用いた体動検知器。
【請求項８】
請求項１の体動検知手段にエアーマットとチューブを接続し、チューブの端に気圧センサまたは圧力センサまたはマイクロンまたは歪ゲージまたは圧電センサまたは加速度センサまたはジャイロその他体動が検知できるセンサを装着した体動センサを用いたことを特徴とする体動検知器。
【請求項９】
請求項１の体動検知手段に光ドップラセンサ、またはマイクロ波ドップラセンサ、またはミリ波、またはミリ波ドップラセンサを用いたことを特徴とする体動検知器。
【請求項１０】
請求項１の体動検知手段に請求項２〜請求項９以外に体動が検知が可能であるセンサを用いたことを特徴とする体動検知器。
【請求項１１】
請求項１の体動状況を解析する体動解析手段で就寝者の咳を周波数解析により識別を行うことを特徴とする体動検知器。
【請求項１２】
請求項１の体動状況を解析する体動解析手段で就寝者のタン詰まりを周波数解析により識別を行うことを特徴とする体動検知器。
【請求項１３】
請求項１の体動状況を解析する体動解析手段で就寝者の苦痛を周波数解析により識別を行うことを特徴とする体動検知器。
【請求項１４】
請求項１の体動状況を解析する体動解析手段で就寝者のイビキを周波数解析により識別を行うことを特徴とする体動検知器。
【請求項１５】
請求項１の体動状況を解析する体動解析手段で就寝者の寝返りを周波数解析により識別を行うことを特徴とする体動検知器。
【請求項１６】
請求項１の体動状況を解析する体動解析手段で就寝者の咳、苦痛、イビキをレベルで識別を行うことを特徴とする体動検知器。
【請求項１７】
請求項１の体動異状解析手段で、体動解析手段から入力される各種体動記号が限定時間をオーバーすると体動異状解析手段から異状を知らせることを特徴とする体動検知器。
【請求項１８】
請求項１７の限定時間の設定は、ソフトまたはボリウムまたはスライドスイッチまたはディップスイッチその他の方法で行なうことを特徴とする体動検知器。
【請求項１９】
請求項１の通報手段にナースコール無線を用いることを特徴とする体動検知器。
【請求項２０】
請求項１の通報手段に無線を用いることを特徴とする体動検知器。
【請求項２１】
請求項１の通報手段にインターネットを用いることを特徴とする体動検知器。
【請求項２２】
請求項１の通報手段に電話回線を用いることを特徴とする体動検知器。
【請求項２３】
請求項１の通報手段に携帯電話、ＰＨＳ、ポケベル、ＰＤＡ、を用いることを特徴とする体動検知器。
【請求項２４】
請求項１の通報手段に音、光を用いることを特徴とする体動検知器。
【請求項２５】
請求項１の通報手段に光通信を用いることを特徴とする体動検知器。